(57)【要約】  実施形態は、ブロードキャスト番組を記録させる方法を含む。方法は、番組の少なくとも第１の部分を記憶させ、番組は、第１の期間の間にブロードキャストされていることと、番組の少なくとも第２の部分を識別することと、第２の期間の間に番組の後続ブロードキャストを識別することと、第２の部分に基づいている位置において開始している番組の後続ブロードキャストを記憶させることとを含む。他の観点は、複数のブロードキャスト時間期間の間に複数の部分のブロードキャスト番組を記録するデバイスを含む。【選択図】図１
2010537502.tif 000002
【特許請求の範囲】
【請求項１】
ブロードキャスト番組を記録する方法において、
前記番組の少なくとも第１の部分を記憶し、前記番組は、第１の期間の間にブロードキャストされることと、
前記番組の少なくとも第２の部分を識別することと、
第２の期間の間に前記番組の後続ブロードキャストを識別することと、
前記第２の部分に基づいている位置において開始する前記番組の前記後続ブロードキャストを記憶することと
を含む方法。
【請求項２】
前記番組の前記後続ブロードキャストを記憶することは、前記番組の前記第１の部分と、前記第２の部分とを結合させることを含む、請求項１記載の方法。
【請求項３】
前記第１の部分と、前記第２の部分とを結合させることは、前記第１の部分に、前記第２の部分を付加して、再生のために番組を規定することを含む、請求項２記載の方法。
【請求項４】
前記第１の部分と、前記第２の部分とを結合させることは、前記第１の部分と、前記第２の部分とを単一のファイル中に記憶させることを含む、請求項２記載の方法。
【請求項５】
前記第１の部分と、前記第２の部分とを結合させることは、前記第１の部分の時間しるしを、前記第２の部分の時間しるしにマッチさせることを含む、請求項２記載の方法。
【請求項６】
ワイヤレスチャネルを通して、ユーザデバイス上で前記後続ブロードキャストを受信することをさらに含む、請求項１記載の方法。
【請求項７】
前記後続ブロードキャストを記憶することは、前記受信した前記後続ブロードキャストを記憶することを含む、請求項６記載の方法。
【請求項８】
前記番組の前記第２の部分を識別することは、前記デバイスの条件を識別することを含む、請求項６記載の方法。
【請求項９】
前記デバイスの条件は、電力レベルと、電話コールの受信と、電話コールの発信とのうちの少なくとも１つに基づいている、請求項８記載の方法。
【請求項１０】
前記番組の前記第２の部分を識別することは、前記ワイヤレスチャネルの条件を識別することをさらに含む、請求項６記載の方法。
【請求項１１】
前記チャネルの条件は、信号フェージングと、低信号強度とのうちの少なくとも１つに基づいている、請求項１０記載の方法。
【請求項１２】
前記条件を識別することは、信号強度と、ビットエラーレートと、フレームエラーレートと、信号対雑音比とのうちの少なくとも１つを、指定された値と比較することを含む、請求項１０記載の方法。
【請求項１３】
前記後続ブロードキャストを識別することは、番組ガイドを規定するデータに基づいて、前記後続ブロードキャストを識別することを含む、請求項１記載の方法。
【請求項１４】
前記後続ブロードキャストを示すワイヤレス信号を受信することをさらに含む、請求項１３記載の方法。
【請求項１５】
前記番組の前記第２の部分を識別することは、前記第１の部分の時間的ロケーションを識別することを含む、請求項１記載の方法。
【請求項１６】
ブロードキャスト番組を記録する装置において、
番組のブロードキャストを受信するように構成されている受信機と、
前記番組を記憶するように構成されているストレージと、
プロセッサと
を具備し、
前記プロセッサは、
前記番組の少なくとも第１の部分を前記ストレージに記憶させ、
前記番組の少なくとも第２の部分を識別し、
第２の期間の間に前記番組の後続ブロードキャストを識別し、
前記第２の部分に基づいている位置において開始する前記番組の前記後続ブロードキャストを記憶するように構成されており、
前記番組は、第１の期間の間にブロードキャストされる、装置。
【請求項１７】
前記プロセッサは、前記番組の前記第１の部分と、前記第２の部分とを結合させるように構成されている、請求項１６記載の装置。
【請求項１８】
前記プロセッサは、前記第１の部分に、前記第２の部分を付加して、再生のために番組を規定することによって、前記第１の部分と、前記第２の部分とを結合させるように構成されている、請求項１８記載の装置。
【請求項１９】
前記プロセッサは、前記第１の部分と、前記第２の部分とを単一のファイル中に記憶させることによって、前記第１の部分と、前記第２の部分とを結合させるように構成されている、請求項１８記載の装置。
【請求項２０】
前記プロセッサは、前記第１の部分の時間しるしを、前記第２の部分の時間しるしにマッチさせて、前記第１の部分と、前記第２の部分とを結合させるように構成されている、請求項１８記載の装置。
【請求項２１】
前記受信機は、ワイヤレスチャネルを通して、前記ブロードキャストを受信するように構成されている、請求項１６記載の装置。
【請求項２２】
前記プロセッサは、前記受信したブロードキャストを、前記ストレージに記憶させるように構成されている、請求項２１記載の装置。
【請求項２３】
前記プロセッサは、前記装置の条件を識別して、前記装置の条件に基づいて、前記番組の前記第２の部分を識別するようにさらに構成されている、請求項２１記載の装置。
【請求項２４】
前記装置の条件は、電力レベルと、電話コールの受信と、電話コールの発信とのうちの少なくとも１つに基づいている、請求項２３記載の装置。
【請求項２５】
前記プロセッサは、前記ワイヤレスチャネルの条件を識別し、前記ワイヤレスチャネルの条件に基づいて、前記番組の前記第２の部分を識別するようにさらに構成されている、請求項２１記載の装置。
【請求項２６】
前記チャネルの条件は、信号フェージングと、低信号強度とのうちの少なくとも１つに基づいている、請求項２５記載の装置。
【請求項２７】
前記プロセッサは、信号強度と、ビットエラーレートと、フレームエラーレートと、信号対雑音比とのうちの少なくとも１つを、指定された値と比較することによって、前記チャネルの条件を識別するように構成されている、請求項２５記載の装置。
【請求項２８】
前記プロセッサは、番組ガイドを規定するデータに基づいて、前記後続ブロードキャストを識別するように構成されている、請求項１６記載の装置。
【請求項２９】
前記受信機は、前記後続ブロードキャストを示すワイヤレス信号を受信するように構成されている、請求項２８記載の装置。
【請求項３０】
コンピュータプログラム製品において、
番組のブロードキャストを受信するためと、
前記番組の少なくとも第１の部分をストレージに記憶させるためと、
前記番組の少なくとも第２の部分を識別するためと、
第２の期間の間に前記番組の後続ブロードキャストを識別するためと、
前記第２の部分に基づいている位置において開始する前記番組の前記後続ブロードキャストを記憶するために、少なくとも１つのコンピュータによって実行可能なコードを含むコンピュータ読取可能媒体を具備し、
前記番組は、第１の期間の間にブロードキャストされる、コンピュータプログラム製品。
【請求項３１】
ブロードキャスト番組を記録するデバイスにおいて、
前記番組の少なくとも第１の部分を記憶する手段と、
前記番組の少なくとも第２の部分を識別する手段と、
第２の期間の間に前記番組の後続ブロードキャストを識別する手段と、
前記第２の部分に基づいている位置において開始する前記番組の前記後続ブロードキャストを記憶する手段と
を具備し、
前記番組は、第１の期間の間にブロードキャストされる、デバイス。
【請求項３２】
ユーザデバイス上でのブロードキャスト番組の記録を可能にする方法において、
前記デバイスが前記番組の第１の部分を記憶したことを示すデータを受信し、前記番組は、第１の期間の間にブロードキャストされることと、
前記番組の少なくとも第２の部分を識別することと、
第２の期間の間に前記番組の後続ブロードキャストを識別することと、
前記第２の部分に基づいている位置において開始する前記番組の前記後続ブロードキャストを記憶するように、前記デバイスに命令することと
を含む方法。
【請求項３３】
前記後続ブロードキャストを識別することは、番組ガイドを規定するデータに基づいて、前記後続ブロードキャストを識別することを含む、請求項３２記載の方法。
【請求項３４】
コンピュータプログラム製品において、
デバイスが番組の第１の部分を記憶したことを示すデータを受信するためと、
前記番組の少なくとも第２の部分を識別するためと、
第２の期間の間に前記番組の後続ブロードキャストを識別するためと、
前記第２の部分に基づいている位置において開始する前記番組の前記後続ブロードキャストを記憶するように、前記デバイスに命令するために、少なくとも１つのコンピュータによって実行可能なコードを含むコンピュータ読取可能媒体を具備し、
前記番組は、第１の期間の間にブロードキャストされる、コンピュータプログラム製品。
【請求項３５】
ユーザデバイス上でのブロードキャスト番組の記録を可能にするデバイスにおいて、
デバイスが前記番組の第１の部分を記憶したことを示すデータを受信する手段と、
前記番組の少なくとも第２の部分を識別する手段と、
第２の期間の間に前記番組の後続ブロードキャストを識別する手段と、
前記第２の部分に基づいている位置において開始する前記番組の前記後続ブロードキャストを記憶するように、前記デバイスに命令する手段と
を具備し、前記番組は、第１の期間の間にブロードキャストされる、デバイス。
【請求項３６】
ブロードキャスト番組を記録する方法において、
前記番組の少なくとも第１の部分を記憶し、前記番組は、第１の期間の間にブロードキャストされることと、
前記番組の少なくとも第２の部分を識別することと、
第２の期間の間に前記番組の後続ブロードキャストを識別することと、
前記第２の部分に基づいている位置において開始する前記番組の前記後続ブロードキャストを記憶することと
を含む方法。
【発明の詳細な説明】
【技術分野】
【０００１】
本出願は、一般的に通信に関連し、より詳細には、ストリームされたマルチメディアデータの通信に関連する。
【背景】
【０００２】
移動体デバイスは、ユーザに対して複数のサービスを提供できる。例えば、移動体デバイスは、電話機、カメラ、ＰＤＡ、およびマルチメディアディスプレイ（例えば、テレビジョン）さえも含んでもよい。移動体デバイス上でのブロードキャストデータの受信は、信号フェージング、ネットワークの過密、電力の損失等によって、中断され得る。信号が損失されたとき、ブロードキャスト信号の部分が、損失されているかもしれない。再ブロードキャストされてもよい番組のケースでは、後の再ブロードキャストは、ある人物のスケジュールを識別し、または、ある人物のスケジュールとともに調整するのが難しいかもしれない。番組のリアルタイムレコーディングは、後の閲覧を便利にしてもよいが、ブロードキャスト番組のリアルタイムレコーディングはまた、移動体通信の他の形態と同様に、何らかの中断の影響を受けやすい。
【概要】
【０００３】
本発明の方法と装置またはデバイスとは、それぞれ、いくつかの観点を有し、これらのいずれの単一のものも、単独で、所望の属性に対して責任があるわけではない。本発明の範囲を制限することなく、例えば、後に続く特許請求の範囲によって表現されるように、より顕著なその特徴をここで簡単に説明することにする。この説明を考慮した後で、特に、“詳細な説明”と題したセクションを読んだ後で、本発明の特徴が、複数の時間期間の間に、ブロードキャスト番組の複数の部分を記録することを可能にすることを含む利点を、どのように提供するかについて、理解されるだろう。
【０００４】
実施形態は、ブロードキャスト番組を記録させる方法を含む。方法は、番組の少なくとも第１の部分を記憶し、番組は、第１の期間の間にブロードキャストされていることと、番組の少なくとも第２の部分を識別することと、第２の期間の間に番組の後続ブロードキャストを識別することと、第２の部分に基づいている位置において開始している番組の後続ブロードキャストを記憶することとを含む。他の観点は、複数のブロードキャスト時間期間の間に複数の部分のブロードキャスト番組を記録するデバイスを含む。
【図面の簡単な説明】
【０００５】
【図１】図１は、移動体デバイスに対してブロードキャスト番組を提供する例示的なシステムを図示するブロック図である。
【図２】図２は、図１において図示したもののような移動体デバイスの例を図示するブロック図である。
【図３】図３は、図１において図示された例示的なシステムにおけるもののようなブロードキャスト番組を記録する例示的な方法を図示するフローチャートである。
【図４】図４は、図１において図示された例示的なシステムにおけるもののようなブロードキャスト番組を記録する別の例示的な方法を図示するフローチャートである。
【詳細な説明】
【０００６】
以下の詳細な説明は、本発明のある特定の観点に対して向けられている。しかしながら、本発明は、例えば、特許請求の範囲によって規定され、カバーされるような、複数の異なる方法で実現されることができる。ここでの観点は、幅広い形態で実現されてもよいことや、ここで開示した何らかの特定の構造、機能、または、これらの両方が、代表的なものにすぎないことが明らかになるだろう。ここでの教示に基づいて、当業者は、ここで開示した観点は、何らかの他の観点とは独立して実現されてもよいことや、これらの観点の２つ以上をさまざまな方法で結合してもよいことを理解するだろう。例えば、ここで述べた観点のいくつかのものを使用して、装置を実現してもよく、または、方法を実行してもよい。さらに、ここで述べる観点のうちの１つ以上のものに加えて、または、ここで述べる観点のうちの１つ以上のものではなく、他の構造、機能、または、構造と機能を使用して、このような装置を実現してもよく、または、このような方法を実行してもよい。
【０００７】
上記の概念のうちのいくつかのものの例として、ユーザが視聴しているブロードキャストマルチメディア番組を、デバイスが受信しつつ、記録しており、また、同時に電話通話が受信された場合、ユーザは、受信を中断してもよく、したがって、マルチメディア番組の記録を中断して、電話通話に応答する。デバイスは、番組の大部分を失うかもしれず、完全な記録を取得するために、完全な後続ブロードキャストをサーチする必要があるかもしれない。したがって、異なる回数だけブロードキャストされる番組のブロードキャストを記録するための効率的な方法を提供する、代替の方法と装置に対する要望が存在する。
【０００８】
図１は、移動体デバイス１０２に対してブロードキャスト番組を提供するための例示的なシステム１００を図示するブロック図である。図１において、単一の移動体デバイス１０２を示したが、システム１００の例は、任意の数の移動体デバイス１０２を使用するように構成されていてもよい。システム１００はまた、配信システム１１０と、コンテンツプロバイダ１１２とを含む。配信システム１１０は、コンテンツプロバイダ１１２からのマルチメディア番組を表すデータを受信してもよい。マルチメディアデータは、ワイヤードリンクまたはワイヤレスリンクを通して受信されてもよい。配信システム１００は、次に、ブロードバンド通信リンク１０８を通して、マルチメディアデータを送信してもよい。いくつかの例において、コンテンツプロバイダ１１２は、（図１に図示していない）移動体デバイス１０２に対して直接、コンテンツを通信してもよい。
【０００９】
例示的なシステム１００において、ブロードバンド通信リンク１０８は、一方向として、または、少なくともほぼ一方向のネットワークとして示した。しかしながら、通信リンク１０８はまた、完全にシンメトリックな二方向ネットワークであってもよい。通信リンク１０８は、イーサネット（登録商標）、電話機（例えば、ＰＯＴＳ）、ケーブル、電源ライン、および、光ファイバーシステム、および／または、ワイヤレスシステムのうちの１つ以上を含む、１つ以上のワイヤードおよび／またはワイヤレスリンクを備えてもよく、ワイヤレスシステムは、コード分割多重アクセス（ＣＤＭＡまたはＣＤＭＡ２０００）通信システム、周波数分割多重アクセス（ＦＤＭＡ）システム、ＧＳＭ／ＧＰＲＳ（汎用パケット無線サービス）／ＥＤＧＥ(拡張データＧＳＭ環境)のような時間分割多重アクセス（ＴＤＭＡ）システム、ＴＥＴＲＡ（地上トランケート無線）移動体電話機システム、広帯域コード分割多重アクセス（ＷＣＤＭＡ）システム、高データレート（１ｘＥＶ−ＤＯ、または、１ｘＥＶ−ＤＯゴールドマルチキャスト）システム、ＩＥＥＥ８０２．１１システム、ＭｅｄｉａＦＬＯシステム、ＤＭＢシステム、直交周波数分割多重アクセス（ＯＦＤＭ）システム、あるいは、ＤＶＢ−Ｈシステムのうちの１つ以上を含む。
【００１０】
移動体デバイス１０２は、通信リンク１０８を通して受信されたマルチメディア番組をレンダリングするように構成されている。レンダリングモジュール１２２は、アナログおよび／またはデジタル技術を含んでいてもよい。レンダリングモジュール１２２は、ＭＰＥＧ−ｘおよびＨ．２６ｘ標準規格のような国際標準規格に基づいたエンコーディング／デコーディング方法を使用した、ビデオエンコーダ／デコーダのような、１つ以上のマルチメディア信号処理システムを含んでもよい。このようなエンコーディング／デコーディング方法は、一般的に、送信および／または記憶のために、マルチメディアデータを圧縮することに対して向けられている。圧縮は、おおざっぱな言い方をすれば、データから冗長性をなくすプロセスである。
【００１１】
移動体デバイス１０２に対して番組コンテンツを通信することに加えて、配信システム１１０はまた、番組ガイドサービス１２６も含んでいてもよい。番組ガイドサービス１２６は、電子的番組ガイド（ＥＰＧ）１２４を表すデータを、移動体デバイス１０２に対して通信してもよい。ＥＰＧ１２４は、複数の番組のブロードキャストスケジュールに関連するデータを含む。ＥＰＧ１２４は、通信リンク１０８を通して受信するのに利用可能な番組と、スケジュールデータとを、複数の個別のチャネルに対して提供してもよい。ＥＰＧデータは、番組のタイトル、開始および終了時間、番組のカテゴリ分類（例えば、スポーツ、映画、コメディ等）、品質レート付け、成人向けコンテンツレート付け等、を含んでもよい。ＥＰＧ１２４はまた、通信リンク１０８を通して移動体デバイス１０２に対して通信されていてもよく、移動体デバイス１０２中に記憶されていてもよい。
【００１２】
例示的なシステム１００において、移動体デバイス１０２はまた、第２の通信リンク１０６上で通信するように構成されていてもよい。例示的なシステム１００では、第２の通信リンク１０６は、２方向通信リンクであるが、第２の通信リンク１０６はまた、移動体デバイス１０２から、分配システム１１０および／またはコンテンツプロバイダ１１２に対して伸びる、第２の１方向リンクであってもよい。第２の通信リンク１０６は、音声トラフィックおよび／またはデータトラフィックを通信するように構成されたワイヤレスネットワークであってもよい。
【００１３】
図２は、図１において図示したような移動体デバイス１０２の例を図示するブロック図である。デバイス１０２は、ストレージまたはメモリ２０４と通信するプロセッサ２０２と、ブロードバンド通信リンク１０８を通して通信しているネットワークインターフェース２０８とを含む。ネットワークインターフェース２０８は、一方向ブロードバンド通信リンク１０８を受信するように構成された受信機２２４を含む。ネットワークインターフェース２０８と受信機２２４とは、イーサネット、電話機（例えば、ＰＯＴＳ）、ケーブル、電源ライン、および、光ファイバーシステムを含むワイヤード技術、および／または、ワイヤレス技術にしたがって、信号を受信してもよく、ワイヤレスシステムは、コード分割多重アクセス（ＣＤＭＡまたはＣＤＭＡ２０００）通信システム、周波数分割多重アクセス（ＦＤＭＡ）システム、ＧＳＭ／ＧＰＲＳ（汎用パケット無線サービス）／ＥＤＧＥ(拡張データＧＳＭ環境)のような時間分割多重アクセス（ＴＤＭＡ）システム、ＴＥＴＲＡ（地上トランケート無線）移動体電話機システム、広帯域コード分割多重アクセス（ＷＣＤＭＡ）システム、高データレート（１ｘＥＶ−ＤＯ、または、１ｘＥＶ−ＤＯゴールドマルチキャスト）システム、ＩＥＥＥ８０２．１１システム、ＭｅｄｉａＦＬＯシステム、ＤＭＢシステム、直交周波数分割多重アクセス（ＯＦＤＭ）システム、あるいは、ＤＶＢ−Ｈシステムのうちの１つ以上を含む。
【００１４】
移動体デバイス１０２は、第２の２方向通信リンク１０６を介して通信するための、オプション的な第２のネットワークインターフェース２０６を含んでもよい。ネットワークインターフェース２０６は、例示的なデバイス１０２が、第２の通信リンク１０６を通して、１つ以上のデバイスと通信できるように、（表示していない）何らかの適切なアンテナ、受信機２２０、送信機２２２を含んでもよい。オプション的に、ネットワークインターフェース２０６はまた、プロセッサ２０２の処理要求を減少させる処理能力も含んでもよい。
【００１５】
デバイス１０２はまた、１つ以上のディスプレイ２１０、キー、タッチスクリーン、または、他の適切な触感入力デバイスのようなユーザ入力デバイス２１２、通信リンク１０６を通して受信される信号に基づいて、可聴出力を提供するように適応されたトランデューサを備える拡声器２１４、ならびに／あるいは、通信リンク１０６と１０８とのうちの１つまたは両方を通して送信されてもよい信号の可聴入力を提供するように適応されたトランデューサを備えるマイクロフォン２１６も含んでもよい。
【００１６】
デバイス１０２は、デバイス１０２の１つ以上のコンポーネントに対して電源を提供するバッテリ２３１をオプション的に含む。デバイス１０２は、移動体ハンドセット、パーソナルデジタルアシスタント、ラップトップコンピュータ、ヘッドセット、乗用車ハンズフリーデバイス、または、他の何らかの電子的デバイスのうちの少なくとも１つを含んでもよい。例えば、ここで教示される１つ以上の観点は、電話機（例えば、セルラ電話機）、パーソナルデータアシスタント（“ＰＤＡ”）、エンターテイメントデバイス（例えば、音楽またはビデオデバイス）、ヘッドセット（例えば、ヘッドフォン、イヤーピース等）、マイクロフォン、あるいは、他の何らかの適切なデバイス中へと組み込まれてもよい。
【００１７】
デバイス１０２は、通信リンク１０８を通して受信されている番組を、メモリ２０４中に記憶または記録させてもよい。メモリは、ＤＲＡＭのような揮発性メモリ、または、フラッシュメモリ、もしくは、ディスクベースの記憶のような不揮発性メモリを含んでもよい。番組は、受信されたフォーマットで記憶されてもよく、または、別のフォーマット（例えば、圧縮されたフォーマット）で記憶されてもよい。１つの観点では、番組が記憶されている間に、ディスプレイユニット２１０を使用して、レンダリングされた番組を表示してもよい。別の観点では、番組は表示されることなく、メモリ２０４に記録されてもよい。
【００１８】
ここで説明するコンポーネントは、さまざまな方法で実現されてもよい。図２を参照すると、例えば、プロセッサ２０２、ソフトウェア、これらの何らかの組み合わせによって、あるいは、ここで教示する以外の何らかの別の方法で、実現されてもよい機能を表す、一連の、相互関連した機能ブロック図として、デバイスまたは装置１０２を表した。例えば、プロセッサ２０２は、入力デバイス２１２を介したユーザ入力を容易にしてもよい。さらに、送信機２２２は、別のデバイス１０２に対して情報を送信することに関連するさまざまな機能を提供する、送信用プロセッサを含んでもよい。受信機２２０は、別のデバイス１０２から情報を受信することに関連するさまざまな機能を提供する受信用プロセッサを含んでもよい。
【００１９】
デバイス１０２は、通信リンク１０６および１０８の１つまたは両方から同時にデータを受信できてもよい。例えば、ブロードバンド一方向インターフェース２０８が通信リンク１０８上で受信しているのと同時には、プロセッサ２０２は、２方向ネットワークインターフェース２０６の受信および／または送信機能を実行することができないかもしれない。したがって、例えば、１つの実施形態では、信号、例えば、電話通話が通信リンク１０６を通して受信されているとき、番組のブロードキャストの受け取りと、記録とは、通信リンク１０８上で中断されてもよい。
【００２０】
上に述べたように、図２は、いくつかの観点において、これらのコンポーネントが適切なプロセッサコンポーネントを介して実現されてもよいことを図示する。これらのプロセッサコンポーネントは、いくつかの観点では、少なくとも部分的に、ここで教示されたような構造を使用して実現されてもよい。いくつかの観点では、プロセッサは、これらの１つ以上のコンポーネントの機能のうちの一部あるいは全部を実現するように適応されていてもよい。いくつかの観点において、破線の四角形で表現した１つ以上のコンポーネントは、オプション的なものである。
【００２１】
いくつかの観点では、デバイスまたは装置１０２は、集積回路を含んでもよい。したがって、集積回路は、図２で図示したプロセッサコンポーネントの機能を提供する、１つ以上のプロセッサを含んでもよい。例えば、いくつかの観点において、単一のプロセッサが、図示したプロセッサコンポーネントの機能を実現してもよい一方で、他の観点において、１つより多いプロセッサが、図示したプロセッサコンポーネントの機能を実現してもよい。さらに、いくつかの観点では、集積回路は、図示したプロセッサコンポーネントのいくつかの、または、すべての機能を実現する、他のタイプのコンポーネントを含んでもよい。
【００２２】
図３は、図１において図示された例示的なシステム１００におけるもののようなブロードキャスト番組を記録する例示的な方法３００を図示するフローチャートである。方法３００に関係する動作またはイベントは、システム１００における、異なるタイプのデバイスによって実行されてもよい。例えば、方法３００のいくつかの動作またはイベントは、配信システム１１０のようなサーバによって実行されてもよい一方で、いくつかの動作またはイベントは、移動体デバイス１０２および／またはコンテンツプロバイダシステム１１２によって実行されてもよい。
【００２３】
電子的デバイス、例えば、移動体デバイス１０２が、通信リンク１０８を通して、ブロードキャスト番組を受信している間に、方法３００が実行されてもよい。受信機２２４が、ブロードキャスト番組を受信している間に、ブロック３０２において、プロセッサは、メモリ２０４中へと番組を記憶させることによって、番組を記録する。ブロードキャストが受信されている第１の時間期間の間に、ブロック３０２において、番組の少なくとも第１の部分が、メモリに記憶される。ブロック３０２においてメモリ中に記憶されているデータは、（例えば、Ｈ．２６ｘまたはＭＰＥＧｘフォーマットでエンコードされて受信されたような）圧縮された形態のものであってもよい。移動体デバイス１０２はまた、番組が記録されている間に、レンダリングされた番組を表示してもよい。
【００２４】
移動体デバイス１０２が、ブロック３０２において、番組を記録している間に、何らかの数の事柄が、記録を中断するかもしれない。例えば、オプション的なバッテリ２３１が、低電力で実行されていてもよく、受信機２２４が、通信リンク１０８上で番組信号をうまく受信できないかもしれない。ワイヤレスネットワークにおいて、移動体デバイス１０２は、受信機２２４がブロードキャスト番組を受信できないほど、信号強度が不十分なエリアに移動するかもしれない。移動体デバイス１０２が移動体ハンドセットを含む実施形態において、上で説明したように、移動体デバイス１０２は、到来する通話を受信することや、または、外へ出る通話を掛けることのような別のタスクを実行するために、ブロードキャスト番組の受信を中断しなければならないかもしれない。番組の受信と記録とを終了させるための別の理由が、当業者により理解されるだろう。
【００２５】
ブロック３０４に進んで、プロセッサ２０２は、ブロードキャストされている番組の第２の部分を識別する。例えば、プロセッサはブロック３０２を参照して説明したように、第１の部分を記憶することの終了の後で、または、第１の部分を記憶することの終了の直後の指定された時間において、発生する番組の部分を識別してもよい。プロセスの後半で、第２の部分を識別するために、ブロック３０４において、第２の部分を識別する情報が、メモリ２０４に記憶される。第２の部分を識別する情報は、番組記録が終了するときの経過時間であってもよい。第２の部分を識別する情報は、シーンシーケンス番号、フレーム番号、または、番組が終了された番組シーケンス中の時間的ロケーションを識別する他の何らかのデータの小片であってもよい。第２の部分を識別する情報もまた、タイトル、シリアル番号、または、記録されている番組を識別するのに使用される、他の形態のデータのような、番組識別子も含む。
【００２６】
１つの観点では、ブロック３０４において識別された第２の部分は、ブロック３０２において記憶された第１の部分に先行してもよい。例えば、ブロック３０２において、記録が、ブロードキャスト番組の途中で開始した場合、ブロック３０４において識別された第２の部分は、番組の開始から、第１の部分の記録が開始された時間までの部分であってもよい。さらに、ブロック３０４において、従前に記録された各部分のギャップを満たすために、複数の第２の部分が識別されてもよい。
【００２７】
いくつかの例において、ブロック３０４において実行される機能は、移動体デバイス１０２のプロセッサ２０２によって実行されてもよい。これらの例において、プロセッサ２０２は、例えば、ネットワークインターフェース２０８から、番組がもはや受信されないことを示す信号を受信してもよい。例えば、ＥＰＧからのデータを使用することによって、番組がいつ開始したのかを知っているので、プロセッサ２０２は、ブロック３０２において記録が中断されたときの番組の経過時間を決定できる。
【００２８】
他の例において、ブロック３０４において実行される機能は、配信システム１１０の（示していない）プロセッサによって、および／または、コンテンツプロバイダシステム１１２によって実行されてもよい。これらの例において、機能を実行するプロセッサは、ユーザが番組を受信していることを示す、移動体デバイス１０２からの信号に対して、通信リンク１０６または１０８のうちの１つを監視してもよい。信号中断のせいで、番組がもはや受信されず、したがって、もはや記録できないことを、信号の不在を使用して、プロセッサによって決定してもよい。代わりに、プロセッサは、電子的デバイスが番組の受信を終了し、ブロック３０４の機能を引き続いて実行することを示す信号に対して、通信リンク１０６または１０８のうちの１つを監視してもよい。第２の部分を識別する情報は、移動体デバイス１０２に対して、後で通信されてもよい。
【００２９】
ブロック３０６に進んで、第２の時間期間の間にブロードキャストされる番組に引き続くブロードキャストを識別する。ブロック３０４において決定された番組の第２の部分を識別する情報に対して、ＥＰＧをサーチすることによって、後続番組の識別が実行されてもよい。ブロック３０４において決定された、番組を識別するデータ（例えば、タイトル、またはシリアル番号）を使用することによって、ＥＰＧを使用して、番組が、いつ再ブロードキャストされることになるかを決定してもよい。このことは、ＥＰＧにおいて記憶された類似のデータに、ブロック３０４において取得されたデータを単に関連付けることによって行われてもよい。番組の再ブロードキャストの複数のインスタンスもまた、識別されてもよい。ブロック３０６において実行される機能は、移動体デバイス１０２のプロセッサ２０２によって実行されてもよく、配信システム１１０またはコンテンツプロバイダシステム１１２上のプロセッサによって実行されてもよい。ブロック３０６の機能が、番組を記録している、移動体デバイス１０２以外のデバイスにおいて実行されるケースでは、移動体デバイス１０２は、通信リンク１０６、または１０８のうちの１つを通して送信されたメッセージ中で、後続番組を通知されてもよい。（以下で説明するように、ブロック３０８において、）第２の部分が再ブロードキャストされる時間頃において、移動体デバイスが、番組の記録を再スタートしてもよいように、ブロック３０４において識別された第２の部分の開始に先立って、予め定められた時間において、このメッセージが送られてもよい。
【００３０】
１つの実施形態では、プロセッサ２０２は、番組の利用可能なブロードキャストに基づいて、後続ブロードキャストを自動的に識別する。さらに、デバイス２００の１つ以上のユーザのスケジュールまたはカレンダーのような、他の利用可能な情報に基づいて、および／または、このようなユーザの時間プリファレンスを見ることによって、ブロードキャストが識別されてもよい。例えば、ユーザは、彼らがブロードキャストを見ることを好む時間期間や、または、彼らがブロードキャストを見ることを好まない時間期間を識別してもよい。さらに、ユーザは、デバイスバッテリをチャージするときのような、デバイスを電源供給モードにさせるときを指定してもよい。
【００３１】
１つの実施形態では、番組の第１のブロードキャストの終了後、プロセッサ２０２は、例えば、ディスプレイ２１０を使用して、後続ブロードキャストを識別するための、ユーザに対するオプションを有するメニュー、または、ユーザインターフェースを提供してもよい。例えば、１つの実施形態では、プロセッサ２０２は、後続ブロードキャストを識別してもよく、ユーザにメニュー、または、そこから特定の後続ブロードキャストを識別する、他のユーザインターフェースを提供してもよい。１つの実施形態では、このメニューは、終了後に、または、ブロードキャストを中断させた電話通話もしくは別のタスクの完了後に、即座に提供される。１つの実施形態では、メニューが任意の後の時間において、例えば、プロセッサ２０２が番組をＥＰＧと関連付けた後に、ユーザに提供される。
【００３２】
次に、ブロック３０８において、プロセッサ２０２は、番組の後続ブロードキャストを、例えば、メモリ２０４に、または、デバイス１００の他のストレージに記憶させる。後続ブロードキャストの記憶は、ブロック３０４において取得された第２の部分を識別する情報に基づいた時間において開始されてもよい。ブロック３０８における後続ブロードキャストの記憶は、自動的に開始されてもよく、第２の部分の記録を開始すべきであることを示すユーザからの入力を受信する際に開始されてもよい。番組の第２の部分がブロック３０８において記憶されているとき、方法３００は、ブロック３０８における記録を、まるで、それがブロック３０２であるかのように同様に取り扱ってもよく、後続ブロードキャストがまた中断されることのようなイベントにおいて、ブロック３０４に直接進んでもよく、したがって、さらに別の再ブロードキャスト中で記録されるべき、新しい第２の部分を識別してもよい。第２の部分の再ブロードキャストがブロック３０８において完全に記憶された場合、方法３００は、ブロードキャスト番組のすべての部分がメモリ２０４に記憶されてしまった場合に終了する。他の部分が依然として損なわれている場合、損なわれている部分が従前にブロック３０２において識別されていた場合、方法３００は、ブロック３０６において後続するブロードキャストを識別するために継続し、完全な番組が記憶されるまで、ブロック３０８においてこれらを記憶するだろう。当然ながら、ユーザは、彼らが番組の記録を継続することを望まないことを決めた場合、任意のときにおいて、（例えば、入力デバイス２１２を使用することによって、）方法３００を終了することを選んでもよい。１つの実施形態では、このようなユーザ終了は、追加的な第２の部分を識別する要求をトリガする。代わりに、ユーザは、全体的に記録を継続しないオプションを選択してもよい。
【００３３】
図４は、例示的なシステム１００におけるもののようなブロードキャスト番組を記録する別の例示的な方法４００を図示するフローチャートである。上で説明したように、ブロードキャスト番組の第１の部分の完全な記憶を妨げるブロードキャストの信号の損失のような何らかの条件が、第１の時間期間の間に発生するかもしれない。方法４００は、ブロック４０２において開始し、これは方法３００のブロック３０２に類似しており、ここで、（例えば、受信機２２４によって）受信されている。第１のブロードキャスト番組の部分が、メモリ２０４に記憶される。ブログラムのブロードキャスト部分は、通信リンク１０８を通して受信された形態（例えば、Ｈ．２６ｘまたはＭＰＥＧｘフォーマットでエンコードされたデータ）のような、圧縮されていない形態で記録されてもよい。記録されたデータはまた、レンダリングモジュール１２２によってレンダリングされた後で、圧縮されていないフォーマットで記憶されてもよく、別の圧縮された形態で記憶されてもよい。圧縮された番組データを記憶することは、記録された番組を記憶するために、より少ないメモリが使用されることになること可能にする。
【００３４】
上で説明したように、記録プロセスの終了を引き起こす条件が発生する場合、方法４００はブロック４０４に進み、ここで、プロセッサ２０２が条件を識別し、記録を停止する。ブロック４０４において識別された、このような終了条件は、到来している電話通話を受信することや、電話通話を発呼することや、バッテリが電力切れすることや、または、バッテリ２３１が低電力であることを識別することを含む、移動体デバイス１０２の条件を含んでもよい。ブロック４０４において識別された終了条件はまた、それを通して番組が受信されている通信リンク１０８の条件も含んでもよい。通信リンク１０８に関連する条件は、受信データがデコーディングプロセス中でもたらされることになる多すぎるエラーを有するポイントまで、信号が損失することや、または、信号が劣化することを含んでもよい。ワイヤレスネットワークは、信号フェージングしがちであるかもしれず、移動体ネットワーク内の移動体デバイス１０２の位置に依拠した、または、ネットワークのトラフィック負荷に依拠した、低信号強度であるかもしれない。例えば、いくつかのデータセントリックネットワークは、さまざまなユーザとともにチャネルを共有してもよく、何人かのユーザの間でフル帯域幅を割り当ててもよい。割り当てられた帯域幅が、十分な高品質ビデオ送信をサポートするのに満足しない場合、ユーザおよび／または移動体デバイス１０２は、低品質な受信によって、受信を終了してもよい。ネットワーク関連の条件を示す、他の測定を、ブロック４０４において終了の条件として使用してもよい。例えば、終了条件は、例えば、信号強度、ビットエラーレート、フレームエラーレートおよび／または信号対雑音比のような指定された値に、測定されたパラメータを比較することに基づいていてもよい。ブロック４０４において終了条件を識別する際に、方法３００のブロック３０４を参照して上で説明したように、番組の第２の部分が識別される。
【００３５】
次に、ブロック４１０において、プロセッサ２０２は、番組の後続ブロードキャストを識別する。ブロック４０４において決定された番組の第２の部分を識別する情報に対して、ＥＰＧをサーチすることによって、後続番組の識別が実行されてもよい。ブロック４０４において決定された、番組を識別するデータ（例えば、タイトル、またはシリアル番号）を使用することによって、ＥＰＧを使用して、番組がいつ再ブロードキャストされることになるかを決定してもよい。このことは、ＥＰＧにおいて記憶された類似のデータに、ブロック４０４において取得されたデータを、単に関連付けることによって行われてもよい。番組の再ブロードキャストの複数のインスタンスもまた、識別されてもよい。ブロック４１０において実行される機能は、移動体デバイス１０２のプロセッサ２０２によって実行されてもよく、配信システム１１０またはコンテンツプロバイダシステム１１２上のプロセッサによって実行されてもよい。ブロック４１０の機能が、番組を記録している移動体デバイス１０２以外のデバイスにおいて実行されるケースでは、移動体デバイス１０２は、通信リンク１０６、または１０８のうちの１つを通して送信されたメッセージ中で、後続番組を通知されてもよい。（以下で説明するように、ブロック４１２において、）第２の部分が再ブロードキャストされる時間頃において、移動体デバイスが、番組の記録を再スタートしてもよいように、ブロック４０４において識別された第２の部分の開始に先行して、予め定められた時間において、このメッセージが送られてもよい。
【００３６】
オプション的に、ブロック４０４において、終了条件の識別の際に、方法４００は、ブロック４０６に進んでもよく、ここで、ユーザが終了条件を通知される。ユーザは、どのように進むかを問うクエリを提供されてもよい。選択は、記録された番組データを保存することと、後続番組ブロードキャストを識別することと、不完全な記録された番組を破棄することとを含んでいてもよい。ユーザは、後続番組を識別することに進むことを選んでもよく、方法は、ブロック４１０に続き、上に説明したように進んでもよい。ユーザが進まないことを選んだ場合、方法４００は終了できる。ユーザに対する通知は、独立して移動体デバイスのプロセッサ２０２によって提供されてもよく、または、ブロック４０４における機能が、配信システム１１０またはコンテンツプロバイダシステム１１２のような別のデバイス中のプロセッサによって実行されるケースにおいては、移動体デバイスが、通信リンク１０６または１０８のうちの１つを通して、メッセージを受信してもよい。
【００３７】
ブロック４１２に進んで、プロセッサ２０２は、番組の後続ブロードキャストを、メモリ２０４に記録（記憶）させる。ブロック４１２における、部分の記憶は、ブロック４０４において、番組の第１の部分の記録が終了した時間において開始してもよい。上に述べたように、番組が、圧縮された、および／または、圧縮されていない状態で、記憶されてもよい。上に説明したように、番組の後続ブロードキャストが、再び中断されるかもしれない。そうである場合、方法４００は、ブロック４０２に戻ってもよい。このことは、いくつかの部分が、異なる回数だけ記録されることをもたらすかもしれない。それぞれの部分を、ブロードキャストの間に発生した順番で記録する必要はない。
【００３８】
次に、オプション的ブロック４１４において、記録された番組の第１の部分と、後続部分とが結合される。ブロック４１４における、各部分の結合は、それらが再生されることになる（経過時間のような何らかの時間しるしによって示されるような）時間的順序において、第１の部分に、第２の部分を付加することを含んでもよい。例えば、番組が再生されるときに、第１の部分が第２の部分の最後において発生する場合、記録された第１の部分は、メモリ中の第２の部分の最後に付加されることになる。第１と第２の部分を、単一のファイルに記憶させることによって、第１と第２の部分を結合させてもよい。第１と第２の部分の間のオーバーラップが識別されてもよく、結合された記録番組から取り除かれてもよい。当業者によって理解されるように、単一ファイルのようなメモリの結合された部分は、ディスクドライブまたはフラッシュメモリデバイスのような、メモリデバイスの同じ物理的部分中に位置していなくてもよい。ファイルは、ディスクまたはメモリ回路のさまざまな部分へとフラグメント化されていてもよい。
【００３９】
上記のことを鑑みると、本開示は、第１の時間期間の間に第１の部分を記録することと、番組中の後続ブロードキャストの間に第２の部分を記録することとによって、番組をどのように記録するかを開示している。例えば、説明した観点は、番組の後続ブロードキャストの間に第２の部分を記録する方法と装置を提供する。また、図示した観点は、１つ以上の移動体デバイスに対してブロードキャストを通信する方法と装置を提供し、移動体デバイスが番組の後続の再ブロードキャストを識別することと、後続ブロードキャストの間に第２の部分を記録することとを可能にする。
【００４０】
ここで説明する実施形態に関連して説明する、何らかの例示的なロジックブロック、モジュール、および、回路は、集積回路（“ＩＣ”）、アクセス端末、または、アクセスポイントによって実行されてもよく、または、これらの内で実現されてもよい。ＩＣは、汎用プロセッサ、デジタルシグナルプロセッサ（ＤＳＰ）、特定用途向け集積回路（ＡＳＩＣ）、フィールドプログラム可能ゲートアレイ（ＦＰＧＡ）または他のプログラム可能ロジックデバイス、ディスクリートゲートまたはトランジスタロジック、ディスクリートハードウェア構成部品、電子的構成部品、光学的構成部品、機械的構成部品、あるいは、ここで説明する機能を実現するように設計されているこれらの任意の組み合わせを含んでいてもよい。汎用プロセッサは、マイクロプロセッサであってもよいが、代わりに、プロセッサは、任意の従来のプロセッサ、制御装置、マイクロ制御装置、または、状態機械であってもよい。プロセッサはまた、計算デバイスの組み合わせとして、例えば、ＤＳＰとマイクロプロセッサの組み合わせ、複数のマイクロプロセッサ、ＤＳＰコアと連携した１つ以上のマイクロプロセッサ、または、他の何らかのこのような構成として、実現されてもよい。
【００４１】
ここで開示した観点に関連して説明したさまざまな図示的なロジックブロック、モジュール、回路、およびアルゴリズムステップは、電子的ハードウェア、コンピュータソフトウェア、または、両方の組み合わせとして実現されてもよいことを当業者は理解するだろう。ハードウェアとソフトウェアの相互交換可能性を明確に説明するために、一般的に、さまざまな例示的な構成部品、ブロック、モジュール、回路、およびステップを、これらの機能に関して上に説明した。このような機能がハードウェアとして、またはソフトウェアとして実現されるかどうかは、特定の応用と、全体のシステムに課される設計制約とに依拠する。当業者はそれぞれの特定のアプリケーションに対して異なる方法で、説明した機能を実現してもよいが、このような実現決定は、本開示の範囲から逸脱するものとして解釈すべきでない。
【００４２】
ここで開示する観点に関連して説明する方法、またはアルゴリズムのステップは、ハードウェアで直接、プロセッサによって実行されるソフトウェアモジュールにおいて、または、これら２つの組み合わせにおいて、実現されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または、技術的に知られている、他の任意の形態の記憶媒体中に存在してもよい。例示的な記憶媒体は、プロセッサが記憶媒体から情報を読み取ることができるように、また、記憶媒体に対して情報を書き込めるように、プロセッサに結合されていてもよい。代わりに、記憶媒体はプロセッサに統合されていてもよい。プロセッサと記憶媒体とは、ＡＳＩＣ中に存在していてもよい。ＡＳＩＣは、ユーザ端末中に存在していてもよい。代わりに、プロセッサと記憶媒体とは、ユーザ端末中の個別のコンポーネントとして存在していてもよい。
【００４３】
上の詳細な説明は、さまざまな観点に適用される本発明の新規な特徴を示し、説明し、指摘したが、形態と、図示したデバイスまたはプロセスの詳細とにおける、さまざまな省略、置換、および変更は、本開示の範囲から逸脱することなく、当業者によって行われてもよい。理解されることになるように、本発明は、ここで説明した特徴と利点のすべてを提供するわけでなく、何らかの特徴は、他のものとは別々に使用、または利用されてもよい。本開示の観点は、添付の特許請求の範囲のよって、これまでの説明によって、または、これらの両方によって規定される。特許請求の範囲に等しい、特許請求の範囲の意味と範囲内に納まるすべての変更は、これらの範囲内に包含されることになる。
【図１】
2010537502.tif 000003
【図２】
2010537502.tif 000004
【図３】
2010537502.tif 000005
【図４】
2010537502.tif 000006
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
ブロードキャスト番組を記録する方法において、
前記番組の少なくとも第１の部分を記憶し、前記番組は、第１の期間の間にブロードキャストされることと、
前記番組の少なくとも第２の部分を識別することと、
第２の期間の間に前記番組の後続ブロードキャストを識別することと、
前記第２の部分に基づいている位置において開始する前記番組の前記後続ブロードキャストを記憶することと
を含む方法。
【請求項２】
前記番組の前記後続ブロードキャストを記憶することは、前記番組の前記第１の部分と、前記第２の部分とを結合させることを含む、請求項１記載の方法。
【請求項３】
前記第１の部分と、前記第２の部分とを結合させることは、前記第１の部分に、前記第２の部分を付加して、再生のために番組を規定することを含む、請求項２記載の方法。
【請求項４】
前記第１の部分と、前記第２の部分とを結合させることは、前記第１の部分と、前記第２の部分とを単一のファイル中に記憶させることを含む、請求項２記載の方法。
【請求項５】
前記第１の部分と、前記第２の部分とを結合させることは、前記第１の部分の時間しるしを、前記第２の部分の時間しるしにマッチさせることを含む、請求項２記載の方法。
【請求項６】
ワイヤレスチャネルを通して、ユーザデバイス上で前記後続ブロードキャストを受信することをさらに含む、請求項１記載の方法。
【請求項７】
前記後続ブロードキャストを記憶することは、前記受信した前記後続ブロードキャストを記憶することを含む、請求項６記載の方法。
【請求項８】
前記番組の前記第２の部分を識別することは、前記デバイスの条件を識別することを含む、請求項６記載の方法。
【請求項９】
前記デバイスの条件は、電力レベルと、電話コールの受信と、電話コールの発信とのうちの少なくとも１つに基づいている、請求項８記載の方法。
【請求項１０】
前記番組の前記第２の部分を識別することは、前記ワイヤレスチャネルの条件を識別することをさらに含む、請求項６記載の方法。
【請求項１１】
前記チャネルの条件は、信号フェージングと、低信号強度とのうちの少なくとも１つに基づいている、請求項１０記載の方法。
【請求項１２】
前記条件を識別することは、信号強度と、ビットエラーレートと、フレームエラーレートと、信号対雑音比とのうちの少なくとも１つを、指定された値と比較することを含む、請求項１０記載の方法。
【請求項１３】
前記後続ブロードキャストを識別することは、番組ガイドを規定するデータに基づいて、前記後続ブロードキャストを識別することを含む、請求項１記載の方法。
【請求項１４】
前記後続ブロードキャストを示すワイヤレス信号を受信することをさらに含む、請求項１３記載の方法。
【請求項１５】
前記番組の前記第２の部分を識別することは、前記第１の部分の時間的ロケーションを識別することを含む、請求項１記載の方法。
【請求項１６】
ブロードキャスト番組を記録する装置において、
番組のブロードキャストを受信するように構成されている受信機と、
前記番組を記憶するように構成されているストレージと、
プロセッサと
を具備し、
前記プロセッサは、
前記番組の少なくとも第１の部分を前記ストレージに記憶させ、
前記番組の少なくとも第２の部分を識別し、
第２の期間の間に前記番組の後続ブロードキャストを識別し、
前記第２の部分に基づいている位置において開始する前記番組の前記後続ブロードキャストを記憶するように構成されており、
前記番組は、第１の期間の間にブロードキャストされる、装置。
【請求項１７】
前記プロセッサは、前記番組の前記第１の部分と、前記第２の部分とを結合させるように構成されている、請求項１６記載の装置。
【請求項１８】
前記プロセッサは、前記第１の部分に、前記第２の部分を付加して、再生のために番組を規定することによって、前記第１の部分と、前記第２の部分とを結合させるように構成されている、請求項１７記載の装置。
【請求項１９】
前記プロセッサは、前記第１の部分と、前記第２の部分とを単一のファイル中に記憶させることによって、前記第１の部分と、前記第２の部分とを結合させるように構成されている、請求項１８記載の装置。
【請求項２０】
前記プロセッサは、前記第１の部分の時間しるしを、前記第２の部分の時間しるしにマッチさせて、前記第１の部分と、前記第２の部分とを結合させるように構成されている、請求項１８記載の装置。
【請求項２１】
前記受信機は、ワイヤレスチャネルを通して、前記ブロードキャストを受信するように構成されている、請求項１６記載の装置。
【請求項２２】
前記プロセッサは、前記受信したブロードキャストを、前記ストレージに記憶させるように構成されている、請求項２１記載の装置。
【請求項２３】
前記プロセッサは、前記装置の条件を識別して、前記装置の条件に基づいて、前記番組の前記第２の部分を識別するようにさらに構成されている、請求項２１記載の装置。
【請求項２４】
前記装置の条件は、電力レベルと、電話コールの受信と、電話コールの発信とのうちの少なくとも１つに基づいている、請求項２３記載の装置。
【請求項２５】
前記プロセッサは、前記ワイヤレスチャネルの条件を識別し、前記ワイヤレスチャネルの条件に基づいて、前記番組の前記第２の部分を識別するようにさらに構成されている、請求項２１記載の装置。
【請求項２６】
前記チャネルの条件は、信号フェージングと、低信号強度とのうちの少なくとも１つに基づいている、請求項２５記載の装置。
【請求項２７】
前記プロセッサは、信号強度と、ビットエラーレートと、フレームエラーレートと、信号対雑音比とのうちの少なくとも１つを、指定された値と比較することによって、前記チャネルの条件を識別するように構成されている、請求項２５記載の装置。
【請求項２８】
前記プロセッサは、番組ガイドを規定するデータに基づいて、前記後続ブロードキャストを識別するように構成されている、請求項１６記載の装置。
【請求項２９】
前記受信機は、前記後続ブロードキャストを示すワイヤレス信号を受信するように構成されている、請求項２８記載の装置。
【請求項３０】
コンピュータプログラムにおいて、
番組のブロードキャストを受信するためと、
前記番組の少なくとも第１の部分をストレージに記憶させるためと、
前記番組の少なくとも第２の部分を識別するためと、
第２の期間の間に前記番組の後続ブロードキャストを識別するためと、
前記第２の部分に基づいている位置において開始する前記番組の前記後続ブロードキャストを記憶するために、少なくとも１つのコンピュータによって実行可能なコードを含み、
前記番組は、第１の期間の間にブロードキャストされる、コンピュータプログラム。
【請求項３１】
ブロードキャスト番組を記録するデバイスにおいて、
前記番組の少なくとも第１の部分を記憶する手段と、
前記番組の少なくとも第２の部分を識別する手段と、
第２の期間の間に前記番組の後続ブロードキャストを識別する手段と、
前記第２の部分に基づいている位置において開始する前記番組の前記後続ブロードキャストを記憶する手段と
を具備し、
前記番組は、第１の期間の間にブロードキャストされる、デバイス。
【請求項３２】
ユーザデバイス上でのブロードキャスト番組の記録を可能にする方法において、
前記デバイスが前記番組の第１の部分を記憶したことを示すデータを受信し、前記番組は、第１の期間の間にブロードキャストされることと、
前記番組の少なくとも第２の部分を識別することと、
第２の期間の間に前記番組の後続ブロードキャストを識別することと、
前記第２の部分に基づいている位置において開始する前記番組の前記後続ブロードキャストを記憶するように、前記デバイスに命令することと
を含む方法。
【請求項３３】
前記後続ブロードキャストを識別することは、番組ガイドを規定するデータに基づいて、前記後続ブロードキャストを識別することを含む、請求項３２記載の方法。
【請求項３４】
コンピュータプログラムにおいて、
デバイスが番組の第１の部分を記憶したことを示すデータを受信するためと、
前記番組の少なくとも第２の部分を識別するためと、
第２の期間の間に前記番組の後続ブロードキャストを識別するためと、
前記第２の部分に基づいている位置において開始する前記番組の前記後続ブロードキャストを記憶するように、前記デバイスに命令するために、少なくとも１つのコンピュータによって実行可能なコードを含み、
前記番組は、第１の期間の間にブロードキャストされる、コンピュータプログラム。
【請求項３５】
ユーザデバイス上でのブロードキャスト番組の記録を可能にするデバイスにおいて、
デバイスが前記番組の第１の部分を記憶したことを示すデータを受信する手段と、
前記番組の少なくとも第２の部分を識別する手段と、
第２の期間の間に前記番組の後続ブロードキャストを識別する手段と、
前記第２の部分に基づいている位置において開始する前記番組の前記後続ブロードキャストを記憶するように、前記デバイスに命令する手段と
を具備し、前記番組は、第１の期間の間にブロードキャストされる、デバイス。
【手続補正２】
【補正対象書類名】明細書
【補正対象項目名】００４３
【補正方法】変更
【補正の内容】
【００４３】
上の詳細な説明は、さまざまな観点に適用される本発明の新規な特徴を示し、説明し、指摘したが、形態と、図示したデバイスまたはプロセスの詳細とにおける、さまざまな省略、置換、および変更は、本開示の範囲から逸脱することなく、当業者によって行われてもよい。理解されることになるように、本発明は、ここで説明した特徴と利点のすべてを提供するわけでなく、何らかの特徴は、他のものとは別々に使用、または利用されてもよい。本開示の観点は、添付の特許請求の範囲のよって、これまでの説明によって、または、これらの両方によって規定される。特許請求の範囲に等しい、特許請求の範囲の意味と範囲内に納まるすべての変更は、これらの範囲内に包含されることになる。  
以下に、本願出願の当初の特許請求の範囲に記載された発明を付記する。
［１］ブロードキャスト番組を記録する方法において、
前記番組の少なくとも第１の部分を記憶し、前記番組は、第１の期間の間にブロードキャストされることと、
前記番組の少なくとも第２の部分を識別することと、
第２の期間の間に前記番組の後続ブロードキャストを識別することと、
前記第２の部分に基づいている位置において開始する前記番組の前記後続ブロードキャストを記憶することと
を含む方法。
［２］前記番組の前記後続ブロードキャストを記憶することは、前記番組の前記第１の部分と、前記第２の部分とを結合させることを含む、上記［１］の方法。
［３］前記第１の部分と、前記第２の部分とを結合させることは、前記第１の部分に、前記第２の部分を付加して、再生のために番組を規定することを含む、上記［２］の方法。
［４］前記第１の部分と、前記第２の部分とを結合させることは、前記第１の部分と、前記第２の部分とを単一のファイル中に記憶させることを含む、上記［２］の方法。
［５］前記第１の部分と、前記第２の部分とを結合させることは、前記第１の部分の時間しるしを、前記第２の部分の時間しるしにマッチさせることを含む、上記［２］の方法。
［６］ワイヤレスチャネルを通して、ユーザデバイス上で前記後続ブロードキャストを受信することをさらに含む、上記［１］の方法。
［７］前記後続ブロードキャストを記憶することは、前記受信した前記後続ブロードキャストを記憶することを含む、上記［６］の方法。
［８］前記番組の前記第２の部分を識別することは、前記デバイスの条件を識別することを含む、上記［６］の方法。
［９］前記デバイスの条件は、電力レベルと、電話コールの受信と、電話コールの発信とのうちの少なくとも１つに基づいている、上記［８］の方法。
［１０］前記番組の前記第２の部分を識別することは、前記ワイヤレスチャネルの条件を識別することをさらに含む、上記［６］の方法。
［１１］前記チャネルの条件は、信号フェージングと、低信号強度とのうちの少なくとも１つに基づいている、上記［１０］の方法。
［１２］前記条件を識別することは、信号強度と、ビットエラーレートと、フレームエラーレートと、信号対雑音比とのうちの少なくとも１つを、指定された値と比較することを含む、上記［１０］の方法。
［１３］前記後続ブロードキャストを識別することは、番組ガイドを規定するデータに基づいて、前記後続ブロードキャストを識別することを含む、上記［１］の方法。
［１４］前記後続ブロードキャストを示すワイヤレス信号を受信することをさらに含む、上記［１３］の方法。
［１５］前記番組の前記第２の部分を識別することは、前記第１の部分の時間的ロケーションを識別することを含む、上記［１］の方法。
［１６］ブロードキャスト番組を記録する装置において、
番組のブロードキャストを受信するように構成されている受信機と、
前記番組を記憶するように構成されているストレージと、
プロセッサと
を具備し、
前記プロセッサは、
前記番組の少なくとも第１の部分を前記ストレージに記憶させ、
前記番組の少なくとも第２の部分を識別し、
第２の期間の間に前記番組の後続ブロードキャストを識別し、
前記第２の部分に基づいている位置において開始する前記番組の前記後続ブロードキャストを記憶するように構成されており、
前記番組は、第１の期間の間にブロードキャストされる、装置。
［１７］前記プロセッサは、前記番組の前記第１の部分と、前記第２の部分とを結合させるように構成されている、上記［１６］の装置。
［１８］前記プロセッサは、前記第１の部分に、前記第２の部分を付加して、再生のために番組を規定することによって、前記第１の部分と、前記第２の部分とを結合させるように構成されている、上記［１８］の装置。
［１９］前記プロセッサは、前記第１の部分と、前記第２の部分とを単一のファイル中に記憶させることによって、前記第１の部分と、前記第２の部分とを結合させるように構成されている、上記［１８］の装置。
［２０］前記プロセッサは、前記第１の部分の時間しるしを、前記第２の部分の時間しるしにマッチさせて、前記第１の部分と、前記第２の部分とを結合させるように構成されている、上記［１８］の装置。
［２１］前記受信機は、ワイヤレスチャネルを通して、前記ブロードキャストを受信するように構成されている、上記［１６］の装置。
［２２］前記プロセッサは、前記受信したブロードキャストを、前記ストレージに記憶させるように構成されている、上記［２１］の装置。
［２３］前記プロセッサは、前記装置の条件を識別して、前記装置の条件に基づいて、前記番組の前記第２の部分を識別するようにさらに構成されている、上記［２１］の装置。
［２４］前記装置の条件は、電力レベルと、電話コールの受信と、電話コールの発信とのうちの少なくとも１つに基づいている、上記［２３］の装置。
［２５］前記プロセッサは、前記ワイヤレスチャネルの条件を識別し、前記ワイヤレスチャネルの条件に基づいて、前記番組の前記第２の部分を識別するようにさらに構成されている、上記［２１］の装置。
［２６］前記チャネルの条件は、信号フェージングと、低信号強度とのうちの少なくとも１つに基づいている、上記［２５］の装置。
［２７］前記プロセッサは、信号強度と、ビットエラーレートと、フレームエラーレートと、信号対雑音比とのうちの少なくとも１つを、指定された値と比較することによって、前記チャネルの条件を識別するように構成されている、上記［２５］の装置。
［２８］前記プロセッサは、番組ガイドを規定するデータに基づいて、前記後続ブロードキャストを識別するように構成されている、上記［１６］の装置。
［２９］前記受信機は、前記後続ブロードキャストを示すワイヤレス信号を受信するように構成されている、上記［２８］の装置。
［３０］コンピュータプログラム製品において、
番組のブロードキャストを受信するためと、
前記番組の少なくとも第１の部分をストレージに記憶させるためと、
前記番組の少なくとも第２の部分を識別するためと、
第２の期間の間に前記番組の後続ブロードキャストを識別するためと、
前記第２の部分に基づいている位置において開始する前記番組の前記後続ブロードキャストを記憶するために、少なくとも１つのコンピュータによって実行可能なコードを含むコンピュータ読取可能媒体を具備し、
前記番組は、第１の期間の間にブロードキャストされる、コンピュータプログラム製品。
［３１］ブロードキャスト番組を記録するデバイスにおいて、
前記番組の少なくとも第１の部分を記憶する手段と、
前記番組の少なくとも第２の部分を識別する手段と、
第２の期間の間に前記番組の後続ブロードキャストを識別する手段と、
前記第２の部分に基づいている位置において開始する前記番組の前記後続ブロードキャストを記憶する手段と
を具備し、
前記番組は、第１の期間の間にブロードキャストされる、デバイス。
［３２］ユーザデバイス上でのブロードキャスト番組の記録を可能にする方法において、
前記デバイスが前記番組の第１の部分を記憶したことを示すデータを受信し、前記番組は、第１の期間の間にブロードキャストされることと、
前記番組の少なくとも第２の部分を識別することと、
第２の期間の間に前記番組の後続ブロードキャストを識別することと、
前記第２の部分に基づいている位置において開始する前記番組の前記後続ブロードキャストを記憶するように、前記デバイスに命令することと
を含む方法。
［３３］前記後続ブロードキャストを識別することは、番組ガイドを規定するデータに基づいて、前記後続ブロードキャストを識別することを含む、上記［３２］の方法。
［３４］コンピュータプログラム製品において、
デバイスが番組の第１の部分を記憶したことを示すデータを受信するためと、
前記番組の少なくとも第２の部分を識別するためと、
第２の期間の間に前記番組の後続ブロードキャストを識別するためと、
前記第２の部分に基づいている位置において開始する前記番組の前記後続ブロードキャストを記憶するように、前記デバイスに命令するために、少なくとも１つのコンピュータによって実行可能なコードを含むコンピュータ読取可能媒体を具備し、
前記番組は、第１の期間の間にブロードキャストされる、コンピュータプログラム製品。
［３５］ユーザデバイス上でのブロードキャスト番組の記録を可能にするデバイスにおいて、
デバイスが前記番組の第１の部分を記憶したことを示すデータを受信する手段と、
前記番組の少なくとも第２の部分を識別する手段と、
第２の期間の間に前記番組の後続ブロードキャストを識別する手段と、
前記第２の部分に基づいている位置において開始する前記番組の前記後続ブロードキャストを記憶するように、前記デバイスに命令する手段と
を具備し、前記番組は、第１の期間の間にブロードキャストされる、デバイス。
［３６］ブロードキャスト番組を記録する方法において、
前記番組の少なくとも第１の部分を記憶し、前記番組は、第１の期間の間にブロードキャストされることと、
前記番組の少なくとも第２の部分を識別することと、
第２の期間の間に前記番組の後続ブロードキャストを識別することと、
前記第２の部分に基づいている位置において開始する前記番組の前記後続ブロードキャストを記憶することと
を含む方法。
【国際調査報告】
2010537502.tif 000007
2010537502.tif 000008
2010537502.tif 000009
2010537502.tif 000010
2010537502.tif 000011